(57)【特許請求の範囲】
【請求項１】
少なくともボイスコイルの線輪の端末に一端が接続され、他端がフレームに設けられたスピーカターミナルの端子板に接続されたフレキシブルワイヤーと、上記ボイスコイルと上記スピーカターミナル間に上記フレームに一体または別体のものを上記フレームに装着して設けられた中継部材とで構成されるスピーカであって、上記中継部材がフレキシブルワイヤーを保持する挟持部とこの挟持部のボイスコイル側に上記フレキシブルワイヤーを沿わせる壁部を設けたスピーカ。
【請求項２】
挟持部のフレキシブルワイヤーの挿入口の対向する面の少なくとも一方に傾斜部を設けるとともに、この傾斜部より奥の挿入口の対向する面の少なくとも一方に対向する面側に突出する突起を設けた請求項１に記載のスピーカ。
【請求項３】
挿入口の下面側を延長して平坦部を形成した請求項１に記載のスピーカ。
【請求項４】
壁部の一対のフレキシブルワイヤーを沿わせる方向に一対の溝部を設けた請求項１に記載のスピーカ。
【請求項５】
挟持部の下方に貫通孔を設けた請求項１に記載のスピーカ。
【発明の詳細な説明】
【０００１】
【発明の属する技術分野】
本発明は各種音響機器に使用されるスピーカに関するものである。
【０００２】
【従来の技術】
機器側の音声信号増幅部と接続するスピーカ用端子は機器との接続の容易さからスピーカの前面よりに設けられることが多くなってきている。
【０００３】
この従来のスピーカを図５により説明する。
【０００４】
図５は従来のスピーカの半断面図であり、７はセンターポールを有する下部プレートと環状のマグネットと上部プレートからなる磁気回路であり、１はこの磁気回路７の上部に結合されたプラスチック製のフレームであり、３は上記磁気回路７の磁気ギャップ７ａにはめ込まれた線輪とこれを巻回したボイスコイルボビンからなるボイスコイルであり、４は内周をこのボイスコイル３に結合し、外周を上記フレーム１に結合して上記ボイスコイル３を支持するダンパであり、５はエッジ部を介して上記フレーム１に外周を結合し、上記ボイスコイル３に内周を結合した振動板である。
【０００５】
２はフレーム１に装着されたスピーカターミナルであり、筐体部２ａには図示しない機器側の音声信号増幅部に接続されたコネクタが挿入される。２ｂはこのコネクタと接続される上記筐体部２ａに圧入またはアウトサート成形された端子板である。
【０００６】
９は上記フレーム１に装着された一対の中継端子を有する内部中継用のターミナルであり、６は一端がボイスコイルの線輪の端末に接続され、他端が上記中継端子９に接続されてスピーカ駆動時（ボイスコイル３が上下動する）に上記振動板５や上記ダンパ４と接触して異音が発生することのない適宜の空間位置に設定されたフレキシブルワイヤーであり、１０は上記中継端子に一端が接続され、他端が上記端子板２ｂに接続された中継用コードである。
【０００７】
以上のように構成して、スピーカターミナル２の位置を振動板５側に近づけてもフレキシブルワイヤー６を隣接部品との衝突の起こらない適宜の位置に設定している。
【０００８】
【発明が解決しようとする課題】
しかしながら、上述のスピーカでは中継用のターミナル９での接続作業に手間がかかりコストがかかるものであり、また、接続点（半田付け部分）が増えるため接続不良（断線等）の要因を増加させることとなっていた。
【０００９】
本発明は上記課題を解決した中継部材を有するスピーカを提供しようとするものである。
【００１０】
【課題を解決するための手段】
上記課題を解決するために本発明のスピーカは、ボイスコイルの線輪の端末に一端が接続され他端がフレームに設けられたスピーカターミナルの端子板に接続されたフレキシブルワイヤーと、上記ボイスコイルと上記スピーカターミナル間に上記フレームに一体または別体のものを上記フレームに装着して設けられた中継部材とで構成されるスピーカであって、上記中継部材がフレキシブルワイヤーを保持する挟持部とこの挟持部のボイスコイル側に設けられた上記フレキシブルワイヤーを沿わせる壁部とで構成して、フレキシブルワイヤーを挟持部で挟持固定するとともに壁部でこのフレキシブルワイヤーの位置を規制し、中継コードを削除して部品点数を削減するとともに、スピーカ駆動時のフレキシブルワイヤーの振幅による他部品（ダンパ、振動板）との衝突による異音の発生をも防止した優れたスピーカの提供を可能とするものである。
【００１１】
【発明の実施の形態】
本発明の請求項１に記載の発明は、少なくともボイスコイルの線輪の端末に一端が接続され他端がフレームに設けられたスピーカターミナルの端子板に接続されたフレキシブルワイヤーと、上記ボイスコイルと上記スピーカターミナル間に上記フレームに一体または別体のものを上記フレームに装着して設けられた中継部材とで構成されるスピーカであって、上記中継部材がフレキシブルワイヤーを保持する挟持部とこの挟持部のボイスコイル側に上記フレキシブルワイヤーを沿わせる壁部を設けた構成としたため、フレキシブルワイヤーを挟持部で挟持固定するとともに壁部でこのフレキシブルワイヤーの位置を規制し、中継コードを削除して部品点数を削減するとともにスピーカ駆動時のフレキシブルワイヤーの隣接する部品との衝突を防止し、衝突による破損や異音の発生も防止したスピーカの提供を可能とするものである。
【００１２】
本発明の請求項２に記載の発明は、請求項１の挟持部のフレキシブルワイヤーの挿入口の対向する面の少なくとも一方に傾斜部を設けるとともに、この傾斜部より奥の挿入口の対向する面の少なくとも一方に対向する面側に突出する突起を設けたものであり、傾斜部によってフレキシブルワイヤーの挿入・装着を容易にするとともに、突起によって装着後のフレキシブルワイヤーの抜け防止を図るものである。
【００１３】
本発明の請求項３に記載の発明は、請求項１の挿入口の下面側を延長して平坦部を形成したものであり、フレキシブルワイヤーを挿入する時に平坦部をフレキシブルワイヤーの挿入時のガイドとして挿入の容易化を図るものである。
【００１４】
本発明の請求項４に記載の発明は、壁部の一対のフレキシブルワイヤーを沿わせる方向に一対の溝部を設けたものであり、上記フレキシブルワイヤーの左右への倒れ込みを防止してフレキシブルワイヤーの位置規制をより精度よく行うとともに、裸線であるフレキシブルワイヤー相互の接触を防止するものである。
【００１５】
本発明の請求項５に記載の発明は、挟持部の下方に貫通孔を設けたものであり、上記貫通孔によってフレキシブルワイヤーの挟持状態が下側から容易に確認できるものである。
【００１６】
以下、本発明のスピーカの一実施の形態について図１から図４により説明する。なお、従来技術と同一部分には同一番号を付与し、説明を省略して説明する。
【００１７】
（実施の形態１）
図１は本発明の一実施の形態であるスピーカの半断面図であり、図２（Ａ）は同要部である中継部材の斜視図であり、図２（Ｂ）は同中継部材へのフレキシブルワイヤーの装着状態を説明する斜視図であり、図３は同要部であるフレキシブルワイヤーをスピーカに取り付けた状態を説明する上面図である。
【００１８】
スピーカの全体構成は従来技術と同様であるので、同図により相違点であるフレキシブルワイヤー６ａの近傍の構成についてのみ説明する。
【００１９】
同図によると、１ａはプラスチック製のフレームであり中継部材８を一体成型により形成している（中継部材８は別体のものをフレーム１ａに装着したものでも良い。）。
【００２０】
フレキシブルワイヤー６ａは一端がスピーカターミナル２の端子板２ｂに接続するとともに、中間部分を上記中継部材８に挟持させ、他端をボイスコイル３の線輪に接続している。
【００２１】
フレキシブルワイヤー６ａを挟持している中継部材８は、フレキシブルワイヤー６ａを挟持する挟持部８ａとフレキシブルワイヤー６ａを適宜の位置まで持ち上げてスピーカ駆動時にフレキシブルワイヤー６ａが振動板５またはダンパ４の異常振幅によってこれらと衝突して異音を発生したりすることのない位置に配置されるように円弧状の曲線を形成するように位置設定するボイスコイル３側に設けられた壁部８ｂで形成され、この壁部８ｂは更に溝部８ｅを有し、この溝部８ｅによってこの溝部８ｅ内に沿わされた絶縁被覆されていないフレキシブルワイヤー６ａ相互の接触を防止している。
【００２２】
なお、この溝部８ｅに代えて上記壁部８ｂに沿わされるフレキシブルワイヤー６ａ間に突部を設けても良いものである。
【００２３】
また、挟持部８ａには挿入口に傾斜部８ｃが対向して設けられるとともに、この傾斜部８ｃの奥の対向する一方の面には対向する他方の面に突出する突起８ｄが設けられている。
【００２４】
上記傾斜部８ｃによって、フレキシブルワイヤー６ａの挟持部８ａへの挿入を容易にするとともに、突起８ｄによって容易にフレキシブルワイヤー６ａが挟持部８ａから抜けることを防止している。
【００２５】
なお、上記傾斜部８ｃおよび突起８ｄは対向する面の少なくともいずれか一方にあれば良いものである。
【００２６】
また、８ｆは下面側の傾斜部８ｃに延長して設けられた平坦部であり、フレキシブルワイヤー６ａを挟持部８ａに挿入固定する際に、両端が接続された図２（Ｂ）の右側のフレキシブルワイヤー６ａで示すように、一旦この平坦部８ｆに置いて挿入することが可能となり、ピンセット等による手での挿入作業の場合の作業の容易性が確保されるものである。
【００２７】
なお、図３で明らかなように、中継部材８の位置はターミナル２とボイスコイル３に接続されたフレキシブルワイヤー６ａが形成する直線が少なくとも中継部材８の挟持部８ａ内に位置するように設定する方が挿入口から抜ける方向の力が常時働くことがないので好ましい。
【００２８】
（実施の形態２）
本発明の他の実施の形態を図４（Ａ）の要部である中継部材の斜視図および図４（Ｂ）の同中継部材へのフレキシブルワイヤーの装着状態を説明する斜視図により説明する。なお、実施の形態１と同一部分は同一番号を付与し、説明を省略して説明する。
【００２９】
同図によると８ｇは貫通孔であり、この貫通孔８ｇによってフレキシブルワイヤー６ａの挟持状態が下側から確認できるとともに、接着によってこの挟持部８ａでフレキシブルワイヤー６ａを固着する場合は、接着剤の塗布が容易になると共に接着状態の確認も行えるものである。
【００３０】
【発明の効果】
以上のように本発明のスピーカは、ターミナルとボイスコイル間を接続するフレキシブルワイヤーの位置決め固定を極めて容易に行うことができ、中継コードを削減するとともにスピーカ駆動時のフレキシブルワイヤーの振幅による他部品（ダンパ、振動板）との衝突による異音の発生をも防止した優れたスピーカの提供を可能とするものである。
【図面の簡単な説明】
【図１】  本発明のスピーカの一実施の形態の半断面図
【図２】  （Ａ）同要部である中継部材の斜視図
（Ｂ）同中継部材へのフレキシブルワイヤーの装着状態を説明する斜視図
【図３】  同要部であるフレキシブルワイヤーをスピーカに取り付けた状態の上面図
【図４】  （Ａ）本発明の他の実施の形態の要部である中継部材の斜視図
（Ｂ）同中継部材へのフレキシブルワイヤーの装着状態を説明する斜視図
【図５】  従来のスピーカの半断面図
【符号の説明】
１ａ  フレーム
２  スピーカターミナル
２ｂ  端子板
３  ボイスコイル
６ａ  フレキシブルワイヤー
８  中継部材
８ａ  挟持部
８ｂ  壁部
８ｃ  傾斜部
８ｄ  突起
８ｅ  溝部
８ｆ  平坦部
８ｇ  貫通孔
【図１】
0003982110.tif 000002
【図２】
0003982110.tif 000003
【図３】
0003982110.tif 000004
【図４】
0003982110.tif 000005
【図５】
0003982110.tif 000006